(57)【特許請求の範囲】
【請求項１】
ヒーターと、タイマー部と、暖房レベルを設定する運転つまみと、暖房運転を制御する制御部を備え、運転停止後に再運転する際速暖運転を行う電気暖房機に於いて、前記制御部は、運転状態から運転停止になった時タイマー部の計時を開始し、その運転停止状態から再運転状態になった時タイマー部の計時を終了させ、そのタイマー部の計時した時間が所定時間以上の時、タイマー部の計時した時間と再運転時に運転つまみにて設定されている暖房レベルとにより、再運転する際の速暖運転の暖房レベルを決定して速暖運転を行うことを特徴とする電気暖房機。
【請求項２】
ヒーターと、タイマー部と、暖房レベルを設定する運転つまみと、暖房運転を制御する制御部を備え、運転停止後に再運転する際速暖運転を行う電気暖房機に於いて、前記制御部は、運転状態から運転停止になった時タイマー部の計時を開始し、その運転停止状態から再運転状態になった時タイマー部の計時を終了させ、そのタイマー部の計時した時間が所定時間以上の時、タイマー部の計時した時間と再運転時に運転つまみにて設定されている暖房レベルとにより、再運転する際の速暖運転の暖房レベルと速暖運転時間とを決定して速暖運転を行うことを特徴とする電気暖房機。
【発明の詳細な説明】
【技術分野】
【０００１】
本発明は、電気温風機、電気ストーブ、電気カーペット及び電気毛布等の電気暖房機に係り、特にこれらの機器に速暖機能を設けた電気暖房機に関するものである。
【背景技術】
【０００２】
従来よりこの種の電気暖房機においては、使用されるヒーターは即暖性がないことから、ヒーターへの給電開始、いわゆるヒーターがオンされても、直ぐ発熱して温度が上昇するまでに時間がかかってしまうため、ヒーターをオンしたときに、電力量及びそれに伴う放熱量の大きい速熱ヒーターを使用して、このヒーターで所定時間加熱した後、ユーザーが設定したヒーター容量へ自動的に切り換わるようにした温度制御装置が設けられている。（例えば、特許文献１）
【０００３】
しかし、上記温度制御装置では、暖房機の設置場所を変更等するために、ヒーターを一時的にオフし、再度、ヒーターをオンする場合、その際に初回と同様の速暖時間で速暖ヒーターモードでの加熱を行うと、ユーザーが設定した温度を超えた過熱状態、いわゆるオーバーランをしてしまうことがある。
そのため、そのオーバーランを防止するため、個別ヒーターモードでのオフ時間に対応した補正速暖時間を予め設定しておき、再度ヒーターへの給電が開始されたときに、速暖時間から補正速暖時間を引いた差時間だけ速暖ヒーターへ給電し、この差時間経過後に個別ヒーターモードへ切り換えることにより、再度オンされたときの速暖時間が短縮されるものがある。（例えば、下記特許文献２）
【先行技術文献】
【特許文献】
【０００４】
【特許文献１】実開昭５５−１５９４１２号公報
【特許文献２】特開２００８−２５９５９号公報
【発明の概要】
【発明が解決しようとする課題】
【０００５】
ところで、この従来のものでは、暖房レベルを弱から強まで複数レベルで設定できる場合、例えば暖房レベルを弱に設定している状態で、ヒーターを一時的にオフし再度ヒーターをオンするまでのオンオフ時間が長い場合、速暖時間が最大で速暖ヒーターモードを実施するため、ヒータの温度が上昇して暖房レベルが強にまで上昇してしまうので、使用者が希望する暖房レベルを超えてしまうという課題があった。
【課題を解決するための手段】
【０００６】
本発明は上記課題を解決するため、請求項１では、ヒーターと、タイマー部と、暖房レベルを設定する運転つまみと、暖房運転を制御する制御部を備え、運転停止後に再運転する際速暖運転を行う電気暖房機に於いて、前記制御部は、運転状態から運転停止になった時タイマー部の計時を開始し、その運転停止状態から再運転状態になった時タイマー部の計時を終了させ、そのタイマー部の計時した時間が所定時間以上の時、タイマー部の計時した時間と再運転時に運転つまみにて設定されている暖房レベルとにより、再運転する際の速暖運転の暖房レベルを決定して速暖運転を行うものである。
【０００７】
また、請求項２では、ヒーターと、タイマー部と、暖房レベルを設定する運転つまみと、暖房運転を制御する制御部を備え、運転停止後に再運転する際速暖運転を行う電気暖房機に於いて、前記制御部は、運転状態から運転停止になった時タイマー部の計時を開始し、その運転停止状態から再運転状態になった時タイマー部の計時を終了させ、そのタイマー部の計時した時間が所定時間以上の時、タイマー部の計時した時間と再運転時に運転つまみにて設定されている暖房レベルとにより、再運転する際の速暖運転の暖房レベルと速暖運転時間とを決定して速暖運転を行うものである。
【発明の効果】
【０００８】
この発明の請求項１によれば、タイマー部の計時した運転停止後から再運転までの時間が所定時間以上の時、タイマー部の計時した運転停止後から再運転までの時間と、再運転時の運転つまみにより設定された暖房レベルとにより、再運転する際の速暖運転の暖房レベルを決定して速暖運転を行うので、再運転時の運転つまみにより設定された暖房レベルをオーバーシュートして使用者の希望する暖房レベルを越えないように暖房レベルを設定して速暖運転を行うことができ、それによりオーバーシュートすることにより使用者が不快感を感じるのを防止することができるものである。
【０００９】
また、オーバーシュートすることなくヒータの温度を素早く上昇させるように暖房レベルを設定して速暖運転を行うことにより、オーバーシュートすることによる余計な電力消費を防止でき、経済的な速暖運転を行うことができるものである。
【００１０】
又本発明の請求項２に記載の電気暖房機によれば、タイマー部の計時した運転停止後から再運転までの時間が所定時間以上の時、タイマー部の計時した運転停止後から再運転までの時間と、再運転時の運転つまみにより設定された暖房レベルとにより、再運転する際の速暖運転の暖房レベルと速暖運転時間とを決定して速暖運転を行うので、再運転時の運転つまみにより設定された暖房レベルをオーバーシュートして使用者の希望する暖房レベルを越えないように暖房レベルと速暖運転時間を設定して速暖運転を行うことができ、それによりオーバーシュートすることにより使用者が不快感を感じるのをより防止することができるものである。
【００１１】
また、オーバーシュートすることなくヒータの温度を素早く上昇させるように暖房レベルと速暖運転時間を設定して速暖運転を行うことにより、オーバーシュートすることによる余計な電力消費をより防止でき、より経済的な速暖運転を行うことができるものである。
【図面の簡単な説明】
【００１２】
【図１】この発明の一実施例を付した電気ストーブを示す斜視図。
【図２】同構成図。
【図３】同速暖運転のフローチャート図。
【発明を実施するための形態】
【００１３】
次に、本発明に係る発明の一実施形態を図１に基づいて説明する。
【００１４】
次にこの発明に係る発明の一実施形態を図面に基づいて説明する。
１は平面視楕円形で円筒型の通常タワー型と言われる電気ストーブで、１本のヒータ２を備えた円筒型の本体ケース部３と、該本体ケース部３より大径で本体ケース部３底部で安定した倒立状態を保持するベース部４とからなり、前記本体ケース部３は、ヒータ２を備え該ヒータ２の前面を覆うガード５が取り付けられる前面パネル６と、該前面パネル６と係合する背面パネル７と、係合した前面パネル６と背面パネル７の上部に取り付けられる操作部本体８からなるものである。
【００１５】
前記ヒータ２は、ステンレスシーズヒータ管にブラックセラミックコーティングが施されており、多量の３〜２０ミクロンの遠赤外線を放射して身体のしんから暖めるものであり、しかも衝撃に強く、抜群の耐久性を有し、熱を反射する反射板９及びガード５と共に発熱部１０を構成するものである。
【００１６】
前記操作部本体８には、正面上部に暖房能力を表示する表示部１１を設けると共に、上面には操作部１２を設け、該操作部１２は暖房運転のオンオフ及び暖房能力を設定する回転式の運転つまみ１３と、暖房能力をある幅で高低させるゆらぎ運転スイッチ１４と、３０分から１〜３時間まで運転時間を設定できる切りタイマースイッチ１５と、本体ケース部３を首振り運転させる首振りスイッチ１６を有するものである。
【００１７】
又前記操作部本体８内には、操作部１２の制御や各種モード制御するマイコンを有する操作部基板からなる制御部１７が取り付けられており、該制御部１７には所定時間を計時するためのタイマー部１８が設けられているものである。
【００１８】
次にこの一実施形態の作動について説明する。
今電気ストーブ１が運転状態から運転停止し、更にその後再運転した場合を図３に示すフローチャートで説明する。
まず運転状態から運転停止になったのを検知すると（Ｓ１）、制御部１７はタイマー部１８を始動させて計時を開始する。（Ｓ２）
【００１９】
そして運転停止状態から再運転になったのを検知すると（Ｓ３）、制御部１７はタイマー部１８を停止させて計時を終了する。（Ｓ４）
そしてタイマー部１８の計時した時間がｔｍｉｎ未満、本件では３分未満かどうか判断し（Ｓ５）、ｔｍｉｎ以上の時は、タイマー部１８の計時した時間と再運転開始時の運転つまみ１３で設定されている暖房レベルとにより、速暖運転の暖房レベルと速暖運転時間を決定する。（Ｓ６）
【００２０】
下記表１は（Ｓ６）で速暖運転の暖房レベルと速暖運転時間を決定するための電気ストーブの運転状態から運転停止し、それから再運転するまでのＯＦＦＯＮ時間と運転つまみ１３で設定されている暖房レベルとの関係を表したものである。
【００２１】
【表１】
0005394185.tif 000002
【００２２】
そしてタイマー部１８の計時を開始すると共に（Ｓ６）で決定された暖房レベルと速暖運転時間で速暖運転を開始し（Ｓ７）、速暖運転を（Ｓ６）で決定した速暖運転時間行ったら（Ｓ８）、タイマー部１８の計時を終了すると共に速暖運転を終了し（Ｓ９）、運転つまみ１３で設定されている暖房レベルで暖房運転を継続するものである。（Ｓ１０）
【００２３】
又、（Ｓ５）でタイマー部１８の計時した時間がｔｍｉｎ未満の時は、ヒータ２の温度が高い状態であると判断して速暖運転を行わず（Ｓ１１）、（Ｓ１０）に進んで、運転つまみ１３で設定されている暖房レベルで暖房運転を継続するものである。
【００２４】
又、（Ｓ３）で運転停止状態から再運転にならずに運転停止状態のままの時、タイマー部１８の計時した時間がｔｍａｘ以上の時、本件では２０分以上かどうか判断し（Ｓ１２）、ｔｍａｘ以上の時はタイマー部１８の計時を終了し（Ｓ１３）、その状態で運転停止状態から再運転になった時（Ｓ１４）、暖房レベルを最大のＬｍａｘ、本件では暖房レベルを最大の９、速暖運転時間を最大のＴｍａｘ、本件では８分に決定し（Ｓ１５）、そして（Ｓ７）に進んで、タイマー部１８の計時を開始すると共に（Ｓ１５）で決定された暖房レベルと速暖運転時間で速暖運転を開始するものである。
【００２５】
尚、本件では再運転時に自動で速暖運転を行うがこれに限定されず、操作部本体８に速暖スイッチを設け、該速暖スイッチがオン状態の時だけ速暖運転を行うようにしてもよいものである。
【００２６】
このように本件では、電気ストーブの運転状態から運転停止し、それから再運転するまでのＯＦＦＯＮ時間を計時することでヒータ２の温度を判断しつつ、再運転時の運転つまみ１３で設定されている暖房レベルにより使用者の要求している暖房レベルを把握し、それにより速暖運転の暖房レベルと速暖運転時間を決定するので、再運転開始時のヒータ２の温度から使用者の要求している暖房レベルのヒータ２の温度にオーバーシュートすることなく素早く上昇させることができ、それによりオーバーシュートすることによる使用者の不快感を防止することができるものである。
【００２７】
また、オーバーシュートすることなくヒータ２の温度を素早く上昇させることにより、余計な電力消費を防止でき、経済的な速暖運転を行うことができるものである。
【符号の説明】
【００２８】
２  ヒータ
１３  運転つまみ
１７  制御部
1８  タイマ部
【図１】
0005394185.tif 000003
【図２】
0005394185.tif 000004
【図３】
0005394185.tif 000005